(57)【要約】  【課題】小型化と多出力に適し効率性に優れた巻線型の出力変圧器を提供する。  【解決手段】所定の間隔を存して並列に配置され互いに結合する２本以上の筒状のボビンにそれぞれＩ型のコアを挿入配置し、該Ｉ型コアの並列平面上に所定の間隔を存して該並列平面に対して垂直な方向に重ねてＣ型コアを配置し、該Ｃ型コアの両端凸部を２本のＩ型コアの両端部に結合し閉磁路を形成する。各Ｉ型コアのそれぞれにはボビンを介して１次巻線が装着され、該１次巻線の両側に隣接して、ボビンを介して２次巻線が装着される。【選択図】図１
2007036191.tif 000002
【特許請求の範囲】
【請求項１】
所定の間隔を存して並列に配置された二本以上のＩ型のコアと、該Ｉ型コアの並列平面上に所定の間隔を存して垂直方向に重ねて配置され両端の凸部が前記Ｉ型コアの両端部に連結されたＣ型コアとを備え、前記Ｉ型コアのそれぞれにボビンを介して１次巻線を装着し、該１次巻線の両側に隣接して、ボビンを介して２次巻線を装着し、２次側を少なくとも４巻線出力としたことを特徴とする変圧器。
【請求項２】
前記Ｃ型コアを前記Ｉ型コアの両面に配置したことを特徴とする請求項１に記載の変圧器。
【請求項３】
前記Ｃ型コアを各Ｉ型コアのそれぞれに配置し、各Ｃ型コアが互いに分離していることを特徴とする請求項１に記載の変圧器。
【請求項４】
前記各２次巻線を複数平行に並べた電線で構成し、２次側を少なくとも８巻線出力としたことを特徴とする請求項１に記載の変圧器。
【請求項５】
前記各２次巻線の前記１次巻線に近い側の端部を、前記ボビンに設けたグランド端子に接続したことを特徴とする請求項１に記載の変圧器。
【請求項６】
前記並列方向に対向する２次巻線の巻回方向を互いに逆向きとし、前記並列方向に対向する１次巻線の巻回方向を互いに逆向きとしたことを特徴とする請求項１に記載の変圧器。
【請求項７】
前記Ｃ型コアの長手方向の端部に、該長手方向と直交する方向に磁力線が形成されるのを阻止する切り欠きを設けたことを特徴とする請求項１に記載の変圧器。
【請求項８】
前記各ボビンに装着された１次巻線の両側に一次用の細長状の金属電極を架設し、該金属電極に前記１次巻線の両端を接続し、前記各ボビンに前記一次用金属電極に隣接して二次用の細長状の金属電極を架設し、該金属電極に前記１次巻線に近い側の前記２次巻線の端部を接続したことを特徴とする請求項１に記載の変圧器。
【請求項９】
前記各ボビンに装着された１次巻線の両側に配線基板を配置し、該配線基板に１次用の細長状電極と二次用の細長状電極を設け、前記各１次巻線の両端を前記一次用金属電極に接続し、前記各２次巻線の、前記１次巻線に近い側の端部を前記二次用の金属電極に抵抗素子を介して接続したことを特徴とする請求項１に記載の変圧器。
【請求項１０】
前記２次巻線とこれに隣接する１次巻線の巻回方向が同一であることを特徴とする請求項１に記載の変圧器。
【請求項１１】
並列に連結された少なくとも２本のボビンにそれぞれＩ型コアを挿入し、該ボビンのそれぞれの真ん中に１次巻線を装着し、該１次巻線の両側に２次巻線を装着し、前記Ｉ型コアの並列平面に所定の間隔を存して前記並列平面に対して垂直な方向にＣ型コアを重ねて配置し、該Ｃ型コアの両端の凸部を前記各Ｉ型コアの両端に連結し、前記ボビンの高圧端子配置領域に端子取付部を設け、前記２次巻線の一端に接続する第１の端子を前記高圧端子配置領域の第１の端子取付部に取り付け、ボビンに装着した２次巻線の他端に接続する第２の端子を、前記高圧端子配置領域に対して所定距離を存した後方の低圧端子配置領域の第２の端子取付部に取り付け、前記第２の端子をグランド端子としたことを特徴とする変圧器。
【請求項１２】
前記高圧端子配置領域を前記Ｉ型コアの両端部近傍に設け、前記低圧端子配置領域を前記Ｉ型コアの中央部近傍に設け、該低圧端子配置領域に前記１次巻線に接続する一次端子を配置し、前記グランド端子を前記一次端子に隣接して配置したことを特徴とする請求項１１に記載の変圧器。
【請求項１３】
前記各ボビンの長手方向の両端側に前記第１の端子取付部を設け、前記１次巻線の軸方向の両端側に前記第２の端子取付部を設けたことを特徴とする請求項１１に記載の変圧器。
【請求項１４】
並列に連結された少なくとも２本のボビンにそれぞれ挿入配置されたＩ型のコアと、該Ｉ型コアの並列平面上に所定の間隔を存して該並列平面に対して垂直な方向に重ねて配置され両端の凸部が前記各Ｉ型コアの両端部に接続されたＣ型コアと、前記各Ｉ型コアのそれぞれの真ん中にボビンを介して装着された１次巻線と、前記１次巻線の片側に位置して、前記各Ｉ型コアのそれぞれにボビンを介して装着された一方側２次巻線と、前記１次巻線の他の片側にボビンを介して装着された他方側２次巻線と、前記各ボビンの一端側に設けられ前記一方側２次巻線の巻き始め端にそれぞれ接続する一方側高圧２次端子を有する一方側端子取付部と、前記各ボビンの他端側に設けられ、前記他方側２次巻線の巻き始め端に接続する他方側２次端子を有する他方側端子取付部とを備え、前記一方側端子取付部に第１と第２の２次グランド端子を設け、第１の２次グランド端子に前記一方側２次巻線の中の一方の２次巻線の巻き終わり端を接続し、第２の２次グランド端子に前記一方側２次巻線の中の他方の２次巻線の巻き終わり端を接続し、前記他方側端子取付部に第３と第４の２次グランド端子を設け、第３の２次グランド端子に前記他方側２次巻線の中の一方の２次巻線の巻き終わり端を接続し、第４の２次グランド端子に前記他方側２次巻線の中の他方の２次巻線の巻き終わり端を接続したことを特徴とする変圧器。
【請求項１５】
前記一方側２次巻線の巻回方向を互いに同一とし、前記他方側２次巻線の巻回方向を前記一方側２次巻線の巻回方向とは逆方向とし、前記１次巻線の前記一方側２次巻線と隣接する部分の巻回方向を該一方側２次巻線の巻回方向と同一とし、前記１次巻線の前記他方側２次巻線と隣接する部分の巻回方向を前記他方側２次巻線の巻回方向と同一としたことを特徴とする請求項１４に記載の変圧器。
【請求項１６】
前記一方側２次巻線の後方にそれぞれ第５と第６の端子取付部を設け、該第５と第６の端子取付部に第１と第２の２次グランド端子を設け、第１の２次グランド端子に前記一方側２次巻線の中の一方の２次巻線の巻き終わり端を接続し、第２の２次グランド端子に前記一方側２次巻線の中の他方の２次巻線の巻き終わり端を接続し、前記他方側２次巻線の後方にそれぞれ第７と第８の端子取付部を設け、該第７と第８の側端子取付部に第３と第４の２次グランド端子を設け、第３の２次グランド端子に前記他方側２次巻線の中の一方の２次巻線の巻き終わり端を接続し、第４の２次グランド端子に前記他方側２次巻線の中の他方の２次巻線の巻き終わり端を接続したことを特徴とする請求項１４に記載の変圧器。
【請求項１７】
前記１次巻線の２個の互いに巻回方向の異なる部分の中、一方の部分の巻き始め端と他方の部分の巻き始め端を直列に接続し、前記一方の部分の巻き終わり端と他方の部分の巻き終わり端を１次入力部としたことを特徴とする請求項１５に記載の変圧器。
【請求項１８】
前記第１の２次グランド端子と前記第３の２次グランド端子とを直列に接続し、前記第２の２次グランド端子と前記第４の２次グランド端子とを直列に接続したことを特徴とする請求項１４に記載の変圧器。
【請求項１９】
前記一方側端子取付部の高圧２次端子を、ランプ接続用の一対の端子を有する１つのコネクタに接続し、前記他方側端子取付部の高圧２次端子を、ランプ接続用の一対の端子を有する他の１つのコネクタに接続したことを特徴とする請求項１４に記載の変圧器。
【発明の詳細な説明】
【技術分野】
【０００１】
本発明は、冷陰極型蛍光ランプ（ＣＣＦＬ）あるいは外部電極蛍光ランプ（ＥＥＦＬ）あるいはＥＬ板（エレクトリロルミネッセンス板）などの照明器具を駆動するインバータ等に用いる変圧器に関する。
【背景技術】
【０００２】
従来、図１９に示すように、四角リング型コア２に１次巻線４と、多数の２次巻線８を装着した多出力の変圧器が知られている（例えば特許文献１参照）。
また従来、図２０に示すように、Ｅ型コア１０とＥ型コア１２を結合し、真ん中のコア部分に１次巻線１４を装着し、両側のコア部分に２次巻線１６，１８を装着した変圧器が知られている（例えば特許文献２参照）。
【特許文献１】特開平１０−７００３１号公報
【特許文献２】特開２００５−３９０５０号公報
【発明の開示】
【発明が解決しようとする課題】
【０００３】
従来の四角リング型コアやＥ−Ｅ型コアを用いた変圧器では、コアの、巻線が装着された平行部分２ｂ，１０ａが直角部分２ａ，１２ｂによって平面方向に結合されるため、全体が幅方向即ち基板に対して水平な平面方向に大きくなってしまい、基板上の変圧器の平面方向の占有面積が大きくなってしまうという問題点がある。
本発明は小型化に適した多出力型の変圧器を提供することを目的とする。
また、本発明の他の目的は、多数の照明器具を１本の閉ループを構成する通電回路で駆動するのに適した１入力多出力型の変圧器を提供することである。
【課題を解決するための手段】
【０００４】
上記目的を達成するため本発明は、所定の間隔を存して並列に配置された二本以上のＩ型のコアと、該Ｉ型コアの並列平面上に所定の間隔を存して垂直方向に重ねて配置され両端の凸部が前記Ｉ型コアの両端部に連結されたＣ型コアとを備え、前記Ｉ型コアのそれぞれにボビンを介して１次巻線を装着し、該１次巻線の両側に隣接して、ボビンを介して２次巻線を装着し、２次側を少なくとも４巻線出力としたものである。
また本発明は、前記Ｃ型コアを前記Ｉ型コアの両面に配置したものである。
また本発明は、前記Ｃ型コアを各Ｉ型コアのそれぞれに配置し、各Ｃ型コアが互いに分離していることを特徴とする。
【０００５】
また本発明は、前記各２次巻線を複数平行に並べた電線で構成し、２次側を少なくとも８巻線出力としたものである。
また本発明は、前記各２次巻線の前記１次巻線に近い側の端部を、前記ボビンに設けたグランド端子に接続したものである。
また本発明は、前記並列方向に対向する２次巻線の巻回方向を互いに逆向きとし、前記並列方向に対向する１次巻線の巻回方向を互いに逆向きとしたものである。
【０００６】
また本発明は、前記Ｃ型コアの長手方向の端部に、該長手方向と直交する方向に磁力線が形成されるのを阻止する切り欠きを設けたものである。
また本発明は、前記各ボビンに装着された１次巻線の両側に一次用の細長状の金属電極を架設し、該金属電極に前記１次巻線の両端を接続し、前記各ボビンに前記一次用金属電極に隣接して二次用の細長状の金属電極を架設し、該金属電極に前記１次巻線に近い側の前記２次巻線の端部を接続したものである。
また本発明は、前記各ボビンに装着された１次巻線の両側に配線基板を配置し、該配線基板に１次用の細長状電極と二次用の細長状電極を設け、前記各１次巻線の両端を前記一次用金属電極に接続し、前記各２次巻線の、前記１次巻線に近い側の端部を前記二次用の金属電極に抵抗素子を介して接続したものである。
【０００７】
また本発明は、前記２次巻線とこれに隣接する１次巻線の巻回方向が同一であることを特徴とする。
また本発明は、並列に連結された少なくとも２本のボビンにそれぞれＩ型コアを挿入し、該ボビンのそれぞれの真ん中に１次巻線を装着し、該１次巻線の両側に２次巻線を装着し、前記Ｉ型コアの並列平面に所定の間隔を存して前記並列平面に対して垂直な方向にＣ型コアを重ねて配置し、該Ｃ型コアの両端の凸部を前記各Ｉ型コアの両端に連結し、前記ボビンの高圧端子配置領域に端子取付部を設け、前記２次巻線の一端に接続する第１の端子を前記高圧端子配置領域の第１の端子取付部に取り付け、ボビンに装着した２次巻線の他端に接続する第２の端子を、前記高圧端子配置領域に対して所定距離を存した後方の低圧端子配置領域の第２の端子取付部に取り付け、前記第２の端子をグランド端子としたものである。
【０００８】
また本発明は、前記高圧端子配置領域を前記Ｉ型コアの両端部近傍に設け、前記低圧端子配置領域を前記Ｉ型コアの中央部近傍に設け、該低圧端子配置領域に前記１次巻線に接続する一次端子を配置し、前記グランド端子を前記一次端子に隣接して配置したものである。
また本発明は、前記各ボビンの長手方向の両端側に前記第１の端子取付部を設け、前記１次巻線の軸方向の両端側に前記第２の端子取付部を設けたことを特徴とする。
【０００９】
また本発明は、並列に連結された少なくとも２本のボビンにそれぞれ挿入配置されたＩ型のコアと、該Ｉ型コアの並列平面上に所定の間隔を存して該並列平面に対して垂直な方向に重ねて配置され両端の凸部が前記各Ｉ型コアの両端部に接続されたＣ型コアと、前記各Ｉ型コアのそれぞれの真ん中にボビンを介して装着された１次巻線と、前記１次巻線の片側に位置して、前記各Ｉ型コアのそれぞれにボビンを介して装着された一方側２次巻線と、前記１次巻線の他の片側にボビンを介して装着された他方側２次巻線と、前記各ボビンの一端側に設けられ前記一方側２次巻線の巻き始め端にそれぞれ接続する一方側高圧２次端子を有する一方側端子取付部と、前記各ボビンの他端側に設けられ、前記他方側２次巻線の巻き始め端に接続する他方側２次端子を有する他方側端子取付部とを備え、前記一方側端子取付部に第１と第２の２次グランド端子を設け、第１の２次グランド端子に前記一方側２次巻線の中の一方の２次巻線の巻き終わり端を接続し、第２の２次グランド端子に前記一方側２次巻線の中の他方の２次巻線の巻き終わり端を接続し、前記他方側端子取付部に第３と第４の２次グランド端子を設け、第３の２次グランド端子に前記他方側２次巻線の中の一方の２次巻線の巻き終わり端を接続し、第４の２次グランド端子に前記他方側２次巻線の中の他方の２次巻線の巻き終わり端を接続したものである。
【００１０】
また本発明は、前記一方側２次巻線の巻回方向を互いに同一とし、前記他方側２次巻線の巻回方向を前記一方側２次巻線の巻回方向とは逆方向とし、前記１次巻線の前記一方側２次巻線と隣接する部分の巻回方向を該一方側２次巻線の巻回方向と同一とし、前記１次巻線の前記他方側２次巻線と隣接する部分の巻回方向を前記他方側２次巻線の巻回方向と同一としたものである。
また本発明は、前記一方側２次巻線の後方にそれぞれ第５と第６の端子取付部を設け、該第５と第６の端子取付部に第１と第２の２次グランド端子を設け、第１の２次グランド端子に前記一方側２次巻線の中の一方の２次巻線の巻き終わり端を接続し、第２の２次グランド端子に前記一方側２次巻線の中の他方の２次巻線の巻き終わり端を接続し、前記他方側２次巻線の後方にそれぞれ第７と第８の端子取付部を設け、該第７と第８の側端子取付部に第３と第４の２次グランド端子を設け、第３の２次グランド端子に前記他方側２次巻線の中の一方の２次巻線の巻き終わり端を接続し、第４の２次グランド端子に前記他方側２次巻線の中の他方の２次巻線の巻き終わり端を接続したものである。
【００１１】
また本発明は、前記１次巻線の２個の互いに巻回方向の異なる部分の中、一方の部分の巻き始め端と他方の部分の巻き始め端を直列に接続し、前記一方の部分の巻き終わり端と他方の部分の巻き終わり端を１次入力部としたものである。
また本発明は、前記第１の２次グランド端子と前記第３の２次グランド端子とを直列に接続し、前記第２の２次グランド端子と前記第４の２次グランド端子とを直列に接続したことを特徴とする。
また本発明は、前記一方側端子取付部の高圧２次端子を、ランプ接続用の一対の端子を有する１つのコネクタに接続し、前記他方側端子取付部の高圧２次端子を、ランプ接続用の一対の端子を有する他の１つのコネクタに接続したものである。
【発明の効果】
【００１２】
本発明は上記のように構成することで、１次巻線と２次巻線とを密に結合でき、複数出力と小型化に適した効率の良い変圧器を提供することができる。また本発明は、多数の照明器具を１本の閉ループからなる通電回路上で駆動するのに適した変圧器を提供することができる。
【発明を実施するための最良の形態】
【００１３】
以下に本発明の実施の形態を添付した図面を参照して詳細に説明する。
図１は変圧器の底面図である。図中、２０，２２は、互いに平行に並列配置された筒状のボビンであり、長手方向の各両端にそれぞれ端子取付部２４，２６と２８，３０が一体的に形成されている。前記ボビン２０，２２にはそれぞれ、図３に示す、Ｉ型のコア４０，４２が挿入配置されている。４４は平板部とその長手方向両端に直角方向に突出する凸部からなるＣ型コアであり、前記２本のＩ型コア４０，４２の配列平面に対して垂直方向に対向配置されている。Ｃ型コア４４の一端凸面４４ａは、端子取付部３０，２６に形成された切り欠き部４６を介して、２本のＩ型コアの一方に、該各一方にまたがって当接し接着されている。Ｃ型コア４４の他端凸面４４ｂは、端子取付部２８，２４に形成された切り欠き部４８を介して、２本のＩ型コア４０，４２の各他方に、該各他方にまたがって当接し接着されている。
【００１４】
前記ボビン２０の前記端子取付部２４と３２との間には、２次巻線５０が巻かれ、端子取付部３４と２６との間には２次巻線５２が巻かれ、端子取付部３２と３４の間には、１次巻線５４が巻かれている。また、ボビン２２の前記端子取付部２８と３６との間には、２次巻線５６が巻かれ、端子取付部３８と３０との間には２次巻線５８が巻かれ、端子取付部３６と３８との間には１次巻線６０が巻かれている。図中、本実施形態及び後述する他の実施形態の各巻線に付けられた矢印は、巻線の巻き始め端を基準とする巻回方向を示している。
前記各ボビン２０，２２の端子取付部２４と３２との間、端子取付部３４と２６との間、端子取付部２８と３６との間及び端子取付部３８と３０との間には、それぞれ複数枚の絶縁用のパーティション６２が設けられている。２次巻線５０，５２，５６，５８の巻き始め端５０ａ，５２ａ，５６ａ，５８ａは、それぞれ端子取付部の溝を介して２次側端子６４，６６，６８，７０に接続し、巻き終わり端はリード線５０ｂ，５２ｂ，５６ｂ，５８ｂを介して、それぞれ、２次側端子７２，７４，７６，７８に接続している。
【００１５】
前記１次巻線５４の両端は、１次側端子８０，８２に接続し、前記１次巻線６０の両端は、１次側端子８４，８６に接続している。１次側端子８６と８０はリード線を介して直列に接続され、１次側端子８４と８２が入力端子を構成している。尚、１次側端子８４と８０をリード線を介して接続し、１次側端子８２と８６をリード線を介して接続し、１次巻線５４と６０を並列接続するようにしても良い。
上記した構成において、変圧器は、プリント基板上に取り付けられ、該変圧器の１次側入力端子８２，８４，には、インバータ回路の交流信号出力側が接続する。
２次側の端子６４，６６間には、コネクタ（図示省略）を介して、直列に接続された冷陰極型蛍光ランプなどのランプＬ１，Ｌ２が接続され、２次側の端子６８，７０間も同様に、コネクタを介し、冷陰極型蛍光ランプなどのランプＬ３，Ｌ４が接続される。２次巻線５０，５２，５６，５８の一次側巻線５４，６０に近い側の端部は、２次側端子７２，７４及び７６，７８を通じて、それぞれ接地される。二次側端子７２，７４及び７６，７８はグランド端子を構成し、該グランド端子には高抵抗素子を介して接地される。
【００１６】
１次巻線５４，６０に交流信号が入力されると、２本の並列配置されたＩ型コア４０，４２にそれぞれ磁路が形成され、２次巻線５０，５２，５６，５８に高圧の交流出力電圧が発生する。Ｉ型コア４０，４２に形成される磁束の方向は同一である。２次巻線５０と５２の巻線方向は、図中、矢方向で示すように、逆向きに設定され、端子６４，６６は、互いに逆相となっている。同様に、高圧の２次側端子６８，７０も互いに逆相となっている。従って、端子６４，６８がプラスのとき、端子６６，７０はマイナスとなる。
【００１７】
図５は、本発明の他の実施形態を示し、２次巻線５０，５６を互いに逆向きとなるように巻回し、２次側端子６４と６８を互いに逆相としている。また、２次巻線５２，５８を互いに逆向きとなるように巻回し、２次側端子６６と７０を互いに逆相としている。従って、端子６８，６６がプラスのとき、端子６４，７０はマイナスとなる。互いに直列に接続するランプＬ１，Ｌ２は、２次側端子６４，６８間にコネクタを介して接続され、互いに直列に接続されたランプＬ３，Ｌ４は、２次側端子６６，７０間にコネクタを介して接続されている。他の構成は、図１に示す実施形態と同一であり、その説明を省略する。
図６は、本発明の他の実施形態を示し、ボビン２０に互いに同方向に２次巻線５０，５２が巻回され、他のボビン２２に互いに同方向に２次巻線５６，５８が巻回されている。従って、端子６４，６８がプラスのとき、端子６６，７０もプラスである。ランプＬ１，Ｌ２，Ｌ３，Ｌ４の一方の電極は、それぞれ、２次側端子６４，６８，６６，７０にコネクタを介して図示の如く接続され、ランプＬ１，Ｌ２，Ｌ３，Ｌ４の他方の電極は、接地されている。１次巻線５４，６０の２次巻線５０，５２，５６，５８と隣接する部分は、図示するように、巻き始め端を基準とすると、２次巻線５０，５２，５６，５８と同一の右回り方向となっている。このように、１次巻線と２次巻線の隣接する部分の巻線の巻回方向を同一とすることにより、電源スイッチをオフとしたときに過渡的に生じる磁気のぶつかり合い、即ち、磁力線の干渉をなくすことができる。他の構成は図１に示す実施形態と同一であり、その説明を省略する。
【００１８】
図７は、本発明の他の実施形態を示し、ボビン２０に装着された１次巻線５４の軸方向の両端側に設けられた端子取付部３２，３４のそれぞれに、２次側端子７２，７４を設け、ボビン２２に装着された１次巻線６０の軸方向の両端側に設けられた端子取付部３６，３８のそれぞれに、２次側端子７６，７８を設けている。２次巻線５０，５２の巻き終わり端５０ｂ，５２ｂは、それぞれ、対応する２次側端子７２，７４に接続し、２次巻線５６，５８の巻き終わり端５６ｂ，５８ｂは、それぞれ対応する２次側端子７６，７８に接続している。
前記２次側端子７２，７４，７６，７８は、リード線を介して接地され、２次側グランド端子を構成している。８８，９０は、プリント基板（図示省略）に取り付けられたコネクタであり、これに、基板（図示省略）上に設置されたランプ（図示省略）が図１に示すように接続されている。コネクタ８８は、２次側端子６４，６８にリード線９２，９４を介して接続し、コネクタ９０は、２次側端子６６，７０にリード線９８，９６を介して接続している。他の構成は、図１に示す実施形態と同一であり、その説明を省略する。
【００１９】
上記した構成において、変圧器は、コネクタ８８，９０に対して、最短距離で対向する高圧端子配置領域１００，１０２と、前記コネクタ８８，９０に対して、高圧端子配置領域１００，１０２の後方に位置する低圧端子配置領域１０４とに分割される。これにより、高圧の領域１００，１０２内に低圧の２次側端子７２，７４，７６，７８が入り込むことがなく、２次側端子６４と７２との間、２次側端子６８と７６との間、２次側端子６６と７４との間及び２次側端子７０と７８との間の絶縁距離が大きくなり、これらの間での放電等を防止でき、変圧器を安全に駆動することができる。
【００２０】
尚、Ｉ型コアとＣ型コアとの結合構造は、図４Ｂに示すように、２個のＣ型コア４４，４４’をＩ型コア４０，４２の上下両面側に配置し、Ｃ型コア４４，４４’の両端の凸部をＩ型コア４０に接着して閉磁路を構成するようにしても良い。図４Ｂの構成では、Ｉ型コア４０，４２にボビンを介して装着される巻線と、変圧器がとりつけられるプリント基板との間が、Ｃ型コア４４’によって磁気的にシールドされ、電気的絶縁効果を高めることができる。また、Ｃ型コアは、Ｌ型コアとＩ型コアを結合して１個のＣ型コアとしたものでも良い。また、２次巻線５０，５２，５６，５８を２本その他複数本のコイル電線を平行に巻いたいわゆるバイファイラ巻きとし、多出力を得るようにしても良い。
次に本発明の他の実施形態を図８を参照して説明する。
【００２１】
図８は変圧器の底面図を示している。端子取付部３２と３４との間、及び端子取付部３６と３８との間には２本のボビン２０，２２にまたがって１次巻線５４が巻回されている。１次巻線５４は互いに逆向きの関係にある２個の部分５４ａ，５４ｂに分割されている。２個の１次巻線５４の部分５４ａ，５４ｂの中、２次巻線５０，５６に隣接する部分５４ａの巻き始め端（Ｓ）は、端子取付部３２の１次側端子８０に接続し、巻き終わり端（Ｅ）が端子取付部３６の１次側端子８４に接続している。前記部分５４ａ，５４ｂの中、２次巻線５２，５８に隣接する部分５４ｂの巻き始め端（Ｓ）は、端子取付部３８の１次側端子８６に接続し、巻き終わり端（Ｅ）が端子取付部３４の１次側端子８２に接続している。
【００２２】
前記１次巻線５４の部分５４ａは、図８中、巻き始め端（Ｓ）を基準として、矢印で示すように右回り方向に巻回され、部分５４ｂは巻き始め端（Ｓ）を基準として、左回り方向に巻回されている。前記２次巻線５０はその巻き始め端５０ａが、端子取付部２４の外側の端部に配置された高圧２次側端子６４に接続している。２次巻線５０の巻き終わり端５０ｂは２次巻線５０の周面に沿って端子取付部２４に戻され、端子取付部２４の内側に配置された２次側グランド端子７２に接続している。前記２次巻線５２は、その巻き始め端５２ａが端子取付部２６の外側の端部に配置された高圧２次側端子６６に接続し、その巻き終わり端５２ｂが２次巻線５２の周面に沿って端子取付部２６に戻され、端子取付部２６の内側に配置された２次グランド端子７４に接続している。
【００２３】
前記２次巻線５６は、その巻き始め端５６ａが、端子取付部２８の外側の端部に配置された高圧２次側端子６８に接続し、その巻き終わり端５６ｂが２次巻線５６の周面に沿って端子取付部２８に戻され、端子取付部２８の内側に配置された２次グランド端子７６に接続している。前記２次巻線５８は、その巻き始め端５８ｂが端子取付部３０の外側の端部に配置された高圧２次側端子７０に接続し、その巻き終わり端５８ｂが、２次巻線５８の周面に沿って端子取付部３０に戻され、端子取付部３０の内側に配置された２次グランド端子７８に接続している。前記１次側端子８０と、１次側端子８６は、リード線８１を介して直列に接続している。１次側端子８４，８２は１次入力部を構成している。前記ボビン２０，２２上の２次巻線５０，５６は、それぞれ、図８中、巻き始め端５０ａ，５６ａを基準として、右回り方向に巻回され互いに同相となっている。２次巻線５２，５８は、巻き始め端５２ａ，５８ａを基準として、左回り方向に巻回され互いに同相となっている。このように、２次巻線５０，５６は右回り、２次巻線５２，５８は左回りで、互いに逆相の関係にある。この巻線方向によって、２次側端子６４，６８がプラスのとき、２次側端子６６，７０はマイナスとなる。
【００２４】
１次巻線５４の２次巻線５０，５６と隣接する部分５４ａは、巻き始め端を基準とすると、２次巻線５０，５６と同一の右回り方向となっており、２次巻線５２，５８と隣接する部分５４ｂは、巻き始め端Ｓを基準とすると、２次巻線５２，５８と同一の左回り方向となっている。このように、１次巻線と２次巻線の隣接する部分の巻線の巻回方向を同一とすることにより、電源スイッチをオフとしたときに過渡的に生じる磁気のぶつかり合い、即ち、磁力線の干渉をなくすことができる。本実施形態の他の構成は、図１に示す実施形態の構成と同一であり、対応する部分は同一の符号が付けられている。
上記した構成において、変圧器Ｔは、プリント基板上に取り付けられ、該トランスＴの１次側端子８４，８２には、インバータ回路の交流信号出力側が接続し、この交流信号が１次側端子８４，８２間に入力される。プリント基板には変圧器Ｔに対応して、ランプ接続用のコネクタＣＮ１，ＣＮ２が固設配置される。コネクタＣＮ１の一対の端子Ａ，Ｂの中、一方の端子Ａには、バラストコンデンサを介して、高圧２次側端子６４が接続し、他方の端子Ｂには、バラストコンデンサを介して、高圧２次側端子６８が接続される。
【００２５】
また、コネクタＣＮ２の一対の端子の中、一方の端子Ｃには、バラストコンデンサを介して、高圧２次側端子７０が接続し、他方の端子Ｄには、バラストコンデンサを介して、高圧２次側端子６６が接続される。また２二次側グランド端子７２と７４は、リード線を介して、直列に接続され、２二次側グランド端子７６と７８も同様にリード線を介して直列に接続され、これらリード線は、それぞれ高抵抗素子例えば１メガΩの抵抗Ｒ１，Ｒ２（図９参照）を介して接地される。
図９は、１入力４巻線出力の変圧器Ｔの二次巻線５０，５２，５６，５８と、コネクタＣＮ１，ＣＮ２との関係を示している。コネクタＣＮ１の端子Ａ，Ｂは、互いに同相であり、コネクタＣＮ２の端子Ｃ，Ｄは、前記端子Ａ，Ｂに対して逆相の関係となっている。即ち、端子Ａ，Ｂがプラスのとき、端子Ｃ，Ｄはマイナスとなる。そして、二次巻線５０と５２、２次巻線５６と５８はリード線により、直列に接続している。
【００２６】
以上の構成によって、プリント基板上に１個又は、複数個の１入力４巻線出力の変圧器を配設し、各トランスに対応するコネクタの端子に対して配列したランプを１本の閉ループからなる通電回路で効率的に駆動することが可能となる。４個の変圧器を用いて、冷陰極型蛍光ランプなどの１６本のランプを駆動する実施形態について、図１０を参照して以下に説明する。
プリント基板１２上に４個の変圧器Ｔが１列に配置され、各変圧器Ｔに対応して、一対のコネクタＣＮ１，ＣＮ２が、一列に配置される。各変圧器Ｔとこれに対応する一対のコネクタＣＮ１，ＣＮ２は、図１０に示すように接続される。また、ランプ支持基板（図示省略）には、１つのコネクタに対して２本のランプが、互いに平行となるように、一列状に配置される。合計１６本のランプＬ１〜Ｌ１６の一方の電極は、対応するコネクタの端子にリード線を介して接続する。
図１０中、上から１番目のランプＬ１の他方の電極は、下から２番目のランプＬ１５の他方の電極に接続され、上から２番目のランプＬ２の他方の電極は、下から１番目のランプＬ１６の他方の電極に接続される。その他の中間のランプＬ３〜Ｌ１４の各他方の電極は、図１０中、上から順次、逆相の端子に接続するランプの他方の電極に接続される。
【００２７】
上記のように接続されたランプＬ１〜Ｌ１６の通電回路は、例えば、ランプＬ１の一方の電極Ｓを始点とすると、該電極Ｓ、ランプＬ１５、コネクタＣＮ２、変圧器Ｔの巻線５８，５６、コネクタＣＮ１、ランプＬ１４、ランプＬ１１、コネクタＣＮ２、変圧器Ｔの巻線５８，５６、コネクタＣＮ１、ランプＬ１０、ランプＬ７、コネクタＣＮ２、変圧器Ｔの巻線５８，５６、コネクタＣＮ１、ランプＬ６、ランプＬ３、コネクタＣＮ２、変圧器Ｔの巻線５８，５６、コネクタＣＮ１、ランプＬ２、ランプＬ１６、コネクタＣＮ２、変圧器Ｔの巻線５２，５０、コネクタＣＮ１、ランプＬ１３、ランプＬ１２、コネクタＣＮ２、変圧器Ｔの巻線５２，５０、コネクタＣＮ１、ランプＬ９、ランプＬ８、コネクタＣＮ２、変圧器Ｔの巻線５２，５０、コネクタＣＮ１、ランプＬ５、ランプＬ４、コネクタＣＮ２、変圧器Ｔの巻線５２，５０、コネクタＣＮ１及びランプＬ１の電極Ｅを経て、始点Ｓに戻る１本の閉ループを構成する。
このように、ランプの通電回路を１本の閉ループとすることにより、全ランプを均一の輝度で点灯させることが可能となる。
【００２８】
上記ランプの接続構成において、直列に接続する一対のランプＬ１，Ｌ１５、Ｌ２，Ｌ１６、Ｌ３，Ｌ６、Ｌ４，Ｌ５、Ｌ７，Ｌ１０、Ｌ８，Ｌ９の各両端には、変圧器Ｔの逆相の電圧が印加され、各対のランプは高圧で駆動される。  また、図８において、１次巻線５４は、ボビン２０，２２をまたがって巻回する構成に限定されるものではなく、ボビン２０，２２ごとに巻回しても良い。この場合、１次巻線５４の部分は４個形成されることになる。また、本発明は、２本のＩ型コアの構成に限定されるものではなく、３本、４本等、複数本のＩ型コアを並列配置し、これらをＣ型コアで接続するようにしても良い。
図１１は、本発明の他の実施形態を示し、ボビン２０に装着された１次巻線５４の軸方向の両端側に設けられた端子取付部３２，３４のそれぞれに、２次側グランド端子７２，７４を設け、ボビン２２に装着された１次巻線５４の軸方向の両端側に設けられた端子取付部３６，３８のそれぞれに、２次側グランド端子７６，７８を設けている。２次巻線５０，５２の巻き終わり端５０ｂ，５２ｂは、それぞれ、対応する２次側端子７２，７４に接続し、２次巻線５６，５８の巻き終わり端５６ｂ，５８ｂは、それぞれ対応する２次側グランド端子７６，７８に接続している。
【００２９】
前記２次側グランド端子７２，７４は、リード線により直列に接続され、該リード線は高抵抗素子を通じて接地されている。また，２次グランド端子７６，７８は、リード線により直列に接続され、該リード線は高抵抗素子を通じて接地されている。ＣＮ１，ＣＮ２は、プリント基板（図示省略）に取り付けられたコネクタであり、これに、基板（図示省略）上に設置されたランプ（図示省略）が図１０に示すように接続されている。コネクタＣＮ１は、２次側端子６４，６８にリード線９２，９４を介して接続し、コネクタＣＮ２は、２次側端子６６，７０にリード線９８，９６を介して接続している。他の構成は、図８に示す実施形態と同一であり、その説明を省略する。
【００３０】
上記した構成において、変圧器は、コネクタＣＮ１，ＣＮ２に対して、最短距離で対向する高圧端子配置領域１００，１０２と、前記コネクタＣＮ１，ＣＮ２に対して、高圧端子配置領域１００，１０２の後方に位置する低圧端子配置領域１０４とに分割される。これにより、高圧の領域１００，１０２内に低圧の２次グランド端子７２，７４，７６，７８が入り込むことがなく、２次側端子６４と２次グランド端子７２との間、２次側端子６８と２次グランド端子７６との間、２次側端子６６と２次グランド端子７４との間及び２次側端子７０と２次グランド端子７８との間の絶縁距離が大きくなり、これらの間での放電等を防止でき、変圧器を安全に駆動することができる。
図１２は、本発明の他の実施形態を示している。
【００３１】
２次巻線５０は、その巻き始め端５０ａを基準として、図中、矢印で示すように、右巻きに巻回され、これと平行に対向する２次巻線５６はその巻き始め端５６ａを基準として、左巻きに巻回され、２次巻線５０，５６は互いに巻回方向が逆向きである。また２次巻線５２と５８も同様に、２次巻線５２は左巻き、２次巻線５８は右巻きであり、互いの巻回方向が逆方向となっている。また１次巻線５４と６０も同様に、１次巻線５４は巻き始め端を基準として右回り、１次巻線６０は左回りで互いに逆向きとなっている。このように、互いに並列方向に対向する巻線の巻回方向を逆とすることにより、巻線の磁気力による振動を打ち消すことができ、変圧器の発熱を防止することができる。１次巻線５４，６０は並列又は直列に接続される。二次高圧端子６４，６８の出力は互いに同相であり、二次高圧端子６６，７０は、二次高圧端子６４，６８に対して、逆相となる。即ち、２次端子６４，６８がプラスのとき、二次端子６６，７０はマイナスである。二次端子５０，５６，５２，５８の巻き終わり端５０ｂ，５６ｂ，５２ｂ，５８ｂはそれぞれグランド端子７２，７６，７４，７８に接続している。本実施形態の他の構成は図１に示す変圧器と同一であり、対応する部分に同一の符号を付し、その説明を省略する。
【００３２】
図１３は２本のＩ型コアのボビン２０，２２にまたがって１次巻線５４を、ボビン２０，２２に、同一方向に巻いた実施形態を示している。即ち、１次巻線５４は、図１１に示すように、逆向きに巻く構成に特に限定されるものではない。図１４は複数本のＩ型コアにまたがったＣ型コア４４の両端部に、図１４（Ａ）に示す、Ｃ型コア４４の長手方向と直交する方向に形成される矢方向の磁束Ｆの対策を示している。この対策として、図１４（Ｂ）に示す実施形態では、磁束Ｆをなくすため、Ｃ型コアの平板部４４ｃの両端に切り欠き（Ｓ）を設けている。
【００３３】
上記実施形態では、いずれも複数のＩ型コアに対して単一のＣ型コアを結合しているが、図１５に示すように、複数のＩ型コア４０，４２に対して、それぞれ、独立した１個のＣ型コア４４を結合するようにしても良い。
図１６は３本以上のＩ型コア４３に、Ｃ型コア４４を結合した実施形態を示している。各Ｉ型コア４３を格納したボビン２１の端子取付部２４に二次側端子６５が取り付けられ、これにボビン２１に装着された２次巻線の巻き始め端が接続している。図１７に示すように、絶縁用のパーティション２３に１次巻線５５のリード線が導かれ、各リード線はボビン２１に架設された細長状の金属電極１１０に接続している。金属電極１１０は、パーティション２３に取り付けられた１次端子１１２に接続している。各２次巻線の巻き終わり端即ち、各２次巻線の１次巻線に近い側も上記と同様の構成でリード線を介して、二次用の金属電極（図示省略）に接続される。この二次用の金属電極はボビン２１に前記パーティション２３に隣接して架設される。
【００３４】
図１８は３本以上のＩ型コアを用いた実施形態の概略説明図であり、変圧器の底面を示している。各Ｉ型コアが格納されるボビン２１に装着された１次巻線５５と２次巻線１１４の境界には、プリント基板１１６などの配線基板が配置固定されている。各１次巻線５５の端部のリード線は、細長状の金属電極１２０に接続している。細長状の金属電極１２０の両端には一次端子１１８が接続している。また２次巻線１１４の巻き終わり端のリード線は、チップ抵抗などの電子部品１２２を介して、グランド端子１２４，１２４が接続する細長状の金属電極１２６に接続している。
上記した、図１、図５、図６、図７、図８、図１１、図１２の各図に示す変圧器Ｔはいずれも、２次巻線の、１次巻線に近い側の端部をグランド端子に接続している。この構成によって、１次巻線と２次巻線との間の電位差を小さくし、安全性を高め、且つ１次巻線と２次巻線とを密に結合させることができるものである。
【図面の簡単な説明】
【００３５】
【図１】本発明に係る変圧器の底面図である。
【図２】変圧器の側面図である。
【図３】コアの外観図である。
【図４】本発明の説明図である。
【図５】本発明の他の実施形態を示す底面図である。
【図６】本発明の他の実施形態を示す底面図である。
【図７】本発明の他の実施形態を示す底面図である。
【図８】本発明の他の実施形態の底面図である。
【図９】本発明の回路説明図である。
【図１０】本発明の回路説明図である。
【図１１】本発明の他の実施形態を示す底面図である。
【図１２】本発明の他の実施形態を示す底面図である。
【図１３】本発明の説明図である。
【図１４】本発明の他の実施形態の外観説明図である。
【図１５】本発明の他の実施形態の外観説明図である。
【図１６】本発明の他の実施形態の外観説明図である。
【図１７】本発明の他の実施形態の底面外観説明図である。
【図１８】本発明の他の実施形態の底面外観説明図である。
【図１９】従来技術の説明図である。
【図２０】従来技術の説明図である。
【符号の説明】
【００３６】
２      コア  
４      １次巻線        
８      ２次巻線
１０    コア
１２    コア
１４    １次巻線
１６    ２次巻線
１８    ２次巻線
２０    ボビン
２１    ボビン
２２    ボビン
２３    パーティション
２４    端子取付部
２６    端子取付部
２８    端子取付部
３０    端子取付部
３２    端子取付部
３４    端子取付部
３６    端子取付部
３８    端子取付部
４０    コア
４２    コア
４４    コア
４６    切り欠き部
４８    切り欠き部
５０    ２次巻線
５２    ２次巻線
５４    １次巻線
５５    １次巻線
５６    ２次巻線
５８    ２次巻線
６０    １次巻線
６２    パーティション
６４    ２次側端子
６５    ２次側端子
６６    ２次側端子
６８    ２次側端子
７０    ２次側端子
７２    ２次側端子
７４    ２次側端子
７６    ２次側端子
７８    ２次側端子
８０    １次側端子
８２    １次側端子
８４    １次側端子
８６    １次側端子
８８    コネクタ
９０    コネクタ
９２    リード線
９４    リード線
９６    リード線
９８    リード線
１００  高圧端子配置領域
１０２  高圧端子配置領域
１０４  低圧端子配置領域
１１０  金属電極
１１２  １次端子
１１４  ２次巻線
１１６  プリント基板
１１８  １次端子
１２０  金属電極
１２２  電子部品
１２４  グランド端子
１２６  金属電極
【図１】
2007036191.tif 000003
【図２】
2007036191.tif 000004
【図３】
2007036191.tif 000005
【図４】
2007036191.tif 000006
【図５】
2007036191.tif 000007
【図６】
2007036191.tif 000008
【図７】
2007036191.tif 000009
【図８】
2007036191.tif 000010
【図９】
2007036191.tif 000011
【図１０】
2007036191.tif 000012
【図１１】
2007036191.tif 000013
【図１２】
2007036191.tif 000014
【図１３】
2007036191.tif 000015
【図１４】
2007036191.tif 000016
【図１５】
2007036191.tif 000017
【図１６】
2007036191.tif 000018
【図１７】
2007036191.tif 000019
【図１８】
2007036191.tif 000020
【図１９】
2007036191.tif 000021
【図２０】
2007036191.tif 000022